(57)【要約】  【課題】  多数の導電部材が配設されたブロック部材を基板に確実に配置しブロック部材が簡単に脱離することを防止できると共に、ブロック部材の多数の導電部材の間をそれぞれ確実に導通させることができる電子装置を提供すること。  【解決手段】  電気的な回路が付設されたブロック部材３は、基板２に格子状に配設された区画部材５の間に配置される。ブロック部材３が基板２に配置された状態では、ブロック部材３の側壁から突設した多数の導電部材と区画部材５の両側面に形成された接触部とが安定して接触し、隣り合うブロック部材３の対応する導電部材を確実に導通する。また、ブロック部材３は区画部材５によって４方向から安定して押圧されるので、ブロック部材３が傾いて浮き上がることがなく、ブロック部材３が簡単に脱離することを防止できる。  【選択図】    図１ 
2005260018.tif 000002
【特許請求の範囲】
【請求項１】
電気的な回路が付設された筐体とその筐体の側壁に突設されると共に前記回路と電気的に導通する弾性力を備えた少なくとも１以上の導電部材とを有する複数のブロック部材と、その複数のブロック部材が着脱自在に配置される基板とを備え、前記複数のブロック部材を前記基板上に配置し、前記筐体に付設された回路が前記導電部材を介して互いに電気的に接続されて電気的な動作を行う電子装置において、
前記基板から略垂直方向に立設され、少なくとも２つの前記ブロック部材間に配設されると共に、前記導電部材をその導電部材が突設された側壁側に押圧することによりその少なくとも２つのブロック部材の対応する導電部材を電気的に導通させる板状の区画部材を備えていることを特徴とする電子装置。
【請求項２】
前記基板と対向する前記筐体の底面は略正方形に形成されており、
前記１の区画部材は他の区画部材と略同形状に形成されると共に、前記基板に格子状に配設されることを特徴とする請求項１に記載の電子装置。
【請求項３】
前記ブロック部材の側壁と対向する前記区画部材の両側面には、前記ブロック部材の導電部材と接触して導通する接触部が設けられ、その区画部材の両側面に対応して設けられた接触部は、互いに導通されると共に前記基板の垂直方向に延設されて複数形成されていることを特徴とする請求項１又は２に記載の電子装置。
【請求項４】
前記基板は、前記１の区画部材に設けられた複数の接触部のうち第１所定位置に設けられた接触部と、他の区画部材に設けられた複数の接触部のうち第２所定位置に設けられた接触部とを電気的に接続する共通配線パターンを備えていることを特徴とする請求項３に記載の電子装置。
【請求項５】
前記基板は、前記ブロック部材の配置側とその反対側とを貫通する長孔状の貫通孔を有すると共に、前記共通配線パターンを前記反対側に備え、
前記区画部材は、前記貫通孔に貫入して前記基板の反対側に突出する貫入部と、前記基板の配置側に突出し前記貫通孔の長手方向において前記貫入部より両側に延びた仕切部とを有し、
前記第１及び第２所定位置に形成された接触部は前記仕切部から貫入部まで延びて形成され、
その貫入部まで延びた接触部と共通配線パターンとの接続は、熱溶融して両者を接続する溶融材によって行われるものであることを特徴とする請求項４に記載の電子装置。
【請求項６】
前記区画部材の仕切部を略直線状に互いに連結する連結部を備え、
その連結部によって複数連結された連結区画部材の内、１の連結区画部材の連結部は前記基板の略垂直方向において上端が開放した凹状の第１嵌装溝が形成され、他の連結区画部材の連結部は前記基板の略垂直方向において下端が開放した凹状の第２嵌装溝が形成され、
前記１の連結区画部材と他の連結区画部材とを基板に配設した状態で、前記第１嵌装溝と第２嵌装溝とが互いに嵌装されることを特徴とする請求項５に記載の電子装置。
【請求項７】
前記基板と区画部材とは一体に形成され、
前記区画部材には、前記ブロック部材の導電部材に対応する位置に前記基板に対して略垂直方向の溝が形成されており、
前記接触部は、その溝に装着される略コの字状の導電性材料で構成されていることを特徴とする請求項３又は４に記載の電子装置。
【請求項８】
前記ブロック部材の導電部材は、前記筐体に付設される回路に正の電圧を供給するための正側導電部材と、前記筐体に付設される回路にグランド電圧又は負の電圧を供給するための負側導電部材とを備え、
その正側導電部材および負側導電部材と前記回路との間の少なくとも一方に接続され、正側導電部材にグランド電圧又は負の電圧が接続された場合又は負側導電部材に正の電圧が接続された場合に、前記回路への正の電圧又はグランド電圧若しくは負の電圧の供給を制限する制限部材を備えていることを特徴とする請求項１から７のいずれかに記載の電子装置。
【請求項９】
前記制限部材は、半導体素子であるダイオードで構成されていることを特徴とする請求項８に記載の電子装置。
【請求項１０】
前記筐体は、前記基板の垂直方向における前記区画部材の高さと略同等の高さで形成されると共に前記ブロック部材の導電部材がその垂直方向に亘って突設される台部と、その台部の略中心位置から前記垂直方向に突出し、前記台部の外形より小さな外形で且つ少なくとも前記台部の高さと略同等以上の高さを有する突出部とで構成されていることを特徴とする請求項１から９のいずれかに記載の電子装置。
【発明の詳細な説明】
【技術分野】
【０００１】
本発明は、複数のブロック部材を組み合わせて電気回路を構成する電子装置に関するものである。
【背景技術】
【０００２】
特公昭５１−４１４２３号公報に開示されているように、電気的な回路素子が付設されたブロック素子（以下「ブロック部材」と称す）と、そのブロック部材が自由に配置される基板とを備えた電子装置が知られている。ブロック部材に付設される回路素子は、例えば、抵抗器、コンデンサ、ダイオード、接続片などから構成されている。ブロック部材の外周壁には、互いのブロック部材を電気的に導通させるための導電体（以下「導電部材」と称す）が複数配設されており、その導電部材は確実な接触を得るために弾性力を有している。基板には、ブロック部材を固定するための多数の柱が正方形の略頂点に位置するよう立設され、ブロック部材には、その外周の４隅に基板の柱と嵌合する凹状に欠如された接圧面が形成されている。このブロック部材の接圧面を基板の柱に圧接することにより、ブロック部材が基板に配置される。基板にブロック部材が配置された状態で隣り合うブロック部材は、導電部材の弾性力によってその導電部材同士が圧接されて電気的に導通する。
【特許文献１】特公昭５１−４１４２３号公報（図４等）
【発明の開示】
【発明が解決しようとする課題】
【０００３】
しかしながら、近年では、トランジスタ、抵抗器、コンデンサ、ダイオードなどの回路素子を基板の上に集積し、各種の機能を持たせたＩＣチップが汎用品として市販されている。このＩＣチップをブロック部材に付設した場合には、ＩＣチップの入出力数が多いので、ブロック部材の外周壁に配設される導電部材の数も多くなる。導電部材の弾性力の大きさにはバラツキがあるので、導電部材同士が圧接される接触面は均一にならずにその接触面にズレが生じたり傾きが生じる。導電部材同士の接触面にズレや傾きが生じると、導電部材を外周壁側に押す押圧力が不安定となるため、基板に配置されるブロック部材が傾いて浮き上がり電気的に不導通な部分が生じるという問題点があった。
【０００４】
本発明は、上述した問題点を解決するためになされたものであり、多数の導電部材が配設されたブロック部材を基板に確実に配置し、ブロック部材が簡単に脱離することを防止できると共に、ブロック部材の多数の導電部材の間をそれぞれ確実に導通させることができる電子装置を提供することを目的としている。
【課題を解決するための手段】
【０００５】
この目的を達成するために請求項１記載の電子装置は、電気的な回路が付設された筐体とその筐体の側壁に突設されると共に前記回路と電気的に導通する弾性力を備えた少なくとも１以上の導電部材とを有する複数のブロック部材と、その複数のブロック部材が着脱自在に配置される基板とを備え、前記複数のブロック部材を前記基板上に配置し、前記筐体に付設された回路が前記導電部材を介して互いに電気的に接続されて電気的な動作を行うものであり、前記基板から略垂直方向に立設され、少なくとも２つの前記ブロック部材間に配設されると共に、前記導電部材をその導電部材が突設された側壁側に押圧することによりその少なくとも２つのブロック部材の対応する導電部材を電気的に導通させる板状の区画部材を備えている。
【０００６】
この請求項１記載の電子装置によれば、基板には、複数のブロック部材が着脱自在に配置される。ブロック部材は、電気的な回路が付設された筐体と、その筐体の側壁に突設されると共に回路と電気的に導通する弾性力を備えた少なくとも１以上の導電部材とを有している。基板には、その基板から略垂直方向に板状の区画部材が立設され、その区画部材は少なくとも２つのブロック部材間に配設される。また、区画部材は、筐体の側壁に突設された導電部材をその導電部材が突設された側壁側に押圧することにより少なくとも２つのブロック部材の対応する導電部材を電気的に導通させる。
【０００７】
請求項２記載の電子装置は、請求項１記載の電子装置において、前記基板と対向する前記筐体の底面は略正方形に形成されており、前記１の区画部材は他の区画部材と略同形状に形成されると共に、前記基板に格子状に配設される。
【０００８】
請求項３記載の電子装置は、請求項１又は２に記載の電子装置において、前記ブロック部材の側壁と対向する前記区画部材の両側面には、前記ブロック部材の導電部材と接触して導通する接触部が設けられ、その区画部材の両側面に対応して設けられた接触部は、互いに導通されると共に前記基板の垂直方向に延設されて複数形成されている。
【０００９】
請求項４記載の電子装置は、請求項３記載の電子装置において、前記基板は、前記１の区画部材に設けられた複数の接触部のうち第１所定位置に設けられた接触部と、他の区画部材に設けられた複数の接触部のうち第２所定位置に設けられた接触部とを電気的に接続する共通配線パターンを備えている。
【００１０】
請求項５記載の電子装置は、請求項４記載の電子装置において、前記基板は、前記ブロック部材の配置側とその反対側とを貫通する長孔状の貫通孔を有すると共に、前記共通配線パターンを前記反対側に備え、前記区画部材は、前記貫通孔に貫入して前記基板の反対側に突出する貫入部と、前記基板の配置側に突出し前記貫通孔の長手方向において前記貫入部より両側に延びた仕切部とを有しており、前記第１及び第２所定位置に形成された接触部は前記仕切部から貫入部まで延びて形成され、その貫入部まで延びた接触部と共通配線パターンとの接続は、熱溶融して両者を接続する溶融材によって行われるものである。
【００１１】
この請求項５記載の電子装置によれば、請求項４記載の電子装置と同様に作用する上、基板は、ブロック部材の配置側とその反対側とを貫通する長孔状の貫通孔を有しており、その貫通孔に区画部材の貫入部が貫入されて区画部材が配設される。基板のブロック部材の配置側には、貫通孔の長手方向において貫入部より両側に延びた区画部材の仕切部が突出している。１の区画部材の第１所定位置に設けられた接触部および他の区画部材の第２所定位置に設けられた接触部は、それぞれ区画部材の仕切部から貫入部まで延びて形成されている。基板のブロック部材の配置側の反対側には、共通配線パターンが備えられており、仕切部から貫入部まで延びて形成された第１及び第２所定位置の接触部と共通配線パターンとは熱溶融して両者を接続する溶融材によって接続される。
【００１２】
請求項６記載の電子装置は、請求項５記載の電子装置において、前記区画部材の仕切部を略直線状に互いに連結する連結部を備え、その連結部によって複数連結された連結区画部材の内、１の連結区画部材の連結部は前記基板の略垂直方向において上端が開放した凹状の第１嵌装溝が形成され、他の連結区画部材の連結部は前記基板の略垂直方向において下端が開放した凹状の第２嵌装溝が形成されており、前記１の連結区画部材と他の連結区画部材とを基板に配設した状態で、前記第１嵌装溝と第２嵌装溝とが互いに嵌装される。
【００１３】
この請求項６記載の電子装置によれば、請求項５記載の電子装置と同様に作用する上、区画部材の仕切部は、連結部によって略直線上に互いに連結される。連結部によって複数連結された連結区画部材の内、１の連結区画部材の連結部には、基板の略垂直方向において上端が開放した凹状の第１嵌装溝が形成されている。また、連結区画部材の内、他の連結区画部材の連結部には、基板の略垂直方向において下端が開放した凹状の第２嵌装溝が形成されている。基板に１の区画部材と他の区画部材とを配設すると、第１嵌装溝と第２嵌装溝とが互いに嵌装された状態で配設される。
【００１４】
請求項７記載の電子装置は、請求項３又は４に記載の電子装置において、前記基板と区画部材とは一体に形成され、前記区画部材には、前記ブロック部材の導電部材に対応する位置に前記基板に対して略垂直方向の溝が形成されており、前記接触部は、その溝に装着される略コの字状の導電性材料で構成されている。
【００１５】
この請求項７記載の電子装置によれば、請求項３又は４に記載に電子装置と同様に作用する上、基板と一体に形成された区画部材には、基板に対して略垂直方向で且つブロック部材の導電部材に対応する位置に複数の溝が形成されている。その溝には、略コの字状の導電性材料で構成された接触部が装着される。
【００１６】
請求項８記載の電子装置は、請求項１から７のいずれかに記載の電子装置において、前記ブロック部材の導電部材は、前記筐体に付設される回路に正の電圧を供給するための正側導電部材と、前記筐体に付設される回路にグランド電圧又は負の電圧を供給するための負側導電部材とを備えており、その正側導電部材および負側導電部材と前記回路との間の少なくとも一方に接続され、正側導電部材にグランド電圧又は負の電圧が接続された場合又は負側導電部材に正の電圧が接続された場合に、前記回路への正の電圧又はグランド電圧若しくは負の電圧の供給を制限する制限部材を備えている。
【００１７】
この請求項８記載の電子装置によれば、請求項１から７のいずれかに記載の電子装置と同様に作用する上、ブロック部材に備えられた正側導電部材を介して筐体に付設される回路に正の電圧が供給され、負側導電部材を介してその回路にグランド電圧又は負の電圧が供給される。正側導電部材および負側導電部材と回路との間の少なくとも一方には制限部材が接続されており、その制限部材によって正側導電部材にグランド電圧又は負の電圧が接続された場合又は負側導電部材に正の電圧が接続された場合に、回路への正の電圧又はグランド電圧若しくは負の電圧の供給が制限される。
【００１８】
請求項９記載の電子装置は、請求項８記載の電子装置において、前記制限部材は、半導体素子であるダイオードで構成されている。
【００１９】
請求項１０記載の電子装置は、請求項１から９のいずれかに記載の電子装置において、前記筐体は、前記基板の垂直方向における前記区画部材の高さと略同等の高さで形成されると共に前記ブロック部材の導電部材がその垂直方向に亘って突設される台部と、その台部の略中心位置から前記垂直方向に突出し、前記台部の外形より小さな外形で且つ少なくとも前記台部の高さと略同等以上の高さを有する突出部とで構成されている。
【００２０】
この請求項１０記載の電子装置によれば、請求項１から９のいずれかに記載の電子装置と同様に作用する上、筐体の台部は、基板の垂直方向における区画部材の高さと略同等の高さで形成され、その垂直方向に亘って導電部材が突設されている。台部の略中心位置には、垂直方向に突出した突出部が形成され、その突出部は、台部の外形より小さな外形で且つ少なくとも台部の高さと略同等以上の高さを有して構成されている。
【発明の効果】
【００２１】
請求項１記載の電子装置によれば、板状の区画部材は、少なくとも２つのブロック部材間に配設されており、ブロック部材の側壁に突設された少なくとも１以上の導電部材をその導電部材が突設された側壁側に押圧することにより少なくとも２つのブロック部材の対応する導電部材を電気的に導通させることができる。よって、２つのブロック部材の対応する導電部材の電気的な導通は板状の区画部材を介して行われるので、導電部材がブロック部材に多数配設される場合であっても、従来のように対応する導電部材同士が互いの弾性力により圧接されて電気的に導通する場合と比較して、導電部材と区画部材との接触面がズレたり傾いたりすることを防止できる。従って、対応する導電部材の間の電気的な導通が不安定となったり、ブロック部材が浮き上がり電気的に不導通となることを防止できるという効果がある。
【００２２】
請求項２記載の電子装置によれば、請求項１記載の電子装置の奏する効果に加え、基板と対向するブロック部材の底面は略正方形に形成されているので、区画部材は基板に略正方形の格子状に配設される。よって、ブロック部材を基板に配置した状態では、ブロック部材は板状の区画部材によって４方向から押圧されるので、ブロック部材を確実に固定して簡単に脱離することを防止できるという効果がある。また、１つの区画部材が、他の区画部材と略同形状に形成されているので、部品を共通化することができ、製作コストを低減することができるという効果がある。
【００２３】
請求項３記載の電子装置によれば、請求項１又は２に記載の電子装置の奏する効果に加え、区画部材には、ブロック部材の側壁と対向する両側面にブロック部材の導電部材と接触する接触部が設けられており、その接触部は基板の垂直方向に延設されて複数形成されているので、多数の導電部材が配設されたブロック部材にも容易に対応することができるという効果がある。また、その接触部の内、区画部材の両側面に対応して設けられた接触部は互いに導通しているので、両側面に対応して設けられた接触部に接触する導電部材の間を確実に導通させることができるという効果がある。
【００２４】
請求項４記載の電子装置によれば、請求項３記載の電子装置の奏する効果に加え、１の区画部材の第１所定位置に設けられた接触部と、他の区画部材の第２所定位置に設けられた接触部とが、共通配線パターンによって電気的に接続されているので、複数の区画部材の接触部の間が導通する。よって、複数のブロック部材に共通に配線を接続する場合であっても、ブロック部材の間を共通に配線するための配線用の部材を必要とせず、ブロック部材を基板に配置するだけで共通に接続できる。従って、電気的な動作をする回路の構成を簡略化できるという効果がある。
【００２５】
また、ブロック部材に、電気的な回路を基板に集積し各種の機能をもたせたＩＣチップを付設した場合、ＩＣチップには正の電圧又はグランド電圧又は負の電圧を供給する必要が生じるが、共通配線パターンを正の電圧又はグランド電圧又は負の電圧と接続すれば、ブロック部材を基板に配置するだけでＩＣチップに電圧を供給することができるという効果がある。
【００２６】
請求項５記載の電子装置によれば、請求項４記載の電子装置の奏する効果に加え、基板は長孔状の貫通孔を有しており、区画部材は、貫通孔に貫入して基板の反対側に突出する貫入部と、基板のブロック部材の配置側に突出して貫通孔の長手方向において貫入部より両側に延びた仕切部とを有している。よって、貫通孔の形成位置に応じてその貫通孔に区画部材を貫入する簡単な作業で区画部材の基板への配設が行えると共に、貫入部と仕切部との長手方向の長さの違いによって区画部材の垂直方向の位置が定まるので垂直方向の位置決めも簡単に行うことができ、作業効率が向上するという効果がある。
【００２７】
また、区画部材が基板に配設された状態で、基板の反対側に備えられた共通配線パターンと、仕切部から貫入部まで延びた第１及び第２所定位置に形成された接触部とは、熱溶融して両者を接続する溶融材によって接続される。よって、接触部と共通配線パターンとの間を確実に導通させることができると共に、両者を接続した溶融材は区画部材の抜けを防止するので基板を持ち運んだり衝撃によって区画部材が抜け落ちることを防止できるという効果もある。
【００２８】
請求項６記載の電子装置によれば、請求項５記載の電子装置の奏する効果に加え、区画部材の仕切部は、連結部によって略直線状に互いに連結されているので、基板に区画部材を配設する場合に、同時に複数の区画部材を配設することができ作業効率を向上することができるという効果がある。また、連結区画部材を基板に配設する場合には、１の連結区画部材に形成された第１嵌装溝と、他の連結区画部材に形成された第２嵌装溝とが互いに嵌装した状態で配設されるので、区画部材同士が強固に連接される。よって、区画部材の剛性が向上するので、ブロック部材を基板に配置した状態であっても区画部材のしなりや傾きの発生を防止でき、ブロック部材を確実に固定することができるという効果がある。
【００２９】
請求項７記載の電子装置によれば、請求項３又は４に記載の電子装置の奏する効果に加え、基板と区画部材とは一体に形成され、区画部材には、ブロック部材の導電部材に対応する位置で且つ基板に対して略垂直方向の溝が形成されており、その溝に略コの字状の導電性材料で構成された接触部を差し込むことで区画部材を構成することができる。よって、接触部を差し込む簡単な作業だけで、区画部材が配設された基板を作成できるので、製作の作業効率を向上することができるという効果がある。
【００３０】
請求項８記載の電子装置によれば、請求項１から７のいずれかに記載の電子装置の奏する効果に加え、正の電圧が供給される正側導電部材およびグランド電圧又は負の電圧が供給される負側導電部材と筐体に付設された回路との間の少なくとも一方には、正側導電部材にグランド電圧又は負の電圧が接続された場合又は負側導電部材に正の電圧が接続された場合に、回路への正の電圧又はグランド電圧若しくは負の電圧の供給を制限する制限部材が接続されている。よって、制限部材によって回路に逆の電圧が供給されることを防止できるので、回路の破損や誤動作を防止することができるという効果がある。
【００３１】
請求項９記載の電子装置によれば、請求項８記載の電子装置の奏する効果に加え、制限部材は、半導体素子であるダイオードで構成されている。ダイオードは汎用性の高い部品であるため、購入が簡単で安価であるので、製作コストを低減することができるという効果がある。
【００３２】
請求項１０記載の電子装置によれば、請求項１から９のいずれかに記載の電子装置の奏する効果に加え、突出部は、台部の略中心位置から基板の垂直方向に突出すると共に、台部の外形より小さい外形で構成されているので、ユーザーは突出部をもってブロック部材を基板に配置することができ、ブロック部材の脱着がし易くなるという効果がある。さらに、ブロック部材が密集する場所にブロック部材を配置する場合であっても隣接するブロック部材の突出部が邪魔にならずスムースに配置を行うことができるという効果もある。
【発明を実施するための最良の形態】
【００３３】
以下、本発明の好ましい実施例について、添付図面を参照して説明する。図１は、本発明の実施例における電子装置１の構成を概略的に示した構成図である。
【００３４】
電子装置１は、平板状に形成された基板２と、各種の電気的な回路が付設されると共に基板２上の任意の位置に着脱自在に配置可能なブロック部材３とを主に備えている。基板２には、ブロック部材３の配置側とその反対側とを貫通する長孔状の貫通孔４が略正方形の格子状に形成されている。その貫通孔４に板状の区画部材５が図中矢印Ｘ方向に貫入されて区画部材５が基板２から略垂直方向に立設される。略正方形に区画された区画部材５の間にブロック部材３が配置され、各ブロック部材３の間が電気的に導通し、各種の電気的な動作を行う回路が構成される。なお、図示するように、基板２の長手方向を矢印Ｙ方向とし、基板２の長手方向と直交する方向（短手方向）を矢印Ｚ方向とする。
【００３５】
図２は、ブロック部材３と区画部材５とを拡大して示した斜視図である。ブロック部材３は、中空状の筐体で構成されており、その筐体は、透明又は半透明の樹脂材料などで形成されている。そのため、後述する中空内部に付設される電気的な回路などを視覚で確認することができる。
【００３６】
筐体は、略正方形の底面（基板２との対向面）からなる略箱形状の台部３ａと、その台部３ａの略中心位置から底面に対して垂直方向に突出し、台部３ａの外形より小さな外形で且つ台部３ａの垂直方向の高さと略同等以上の高さを有する略箱形状の突出部３ｂとで構成されている。ブロック部材３は、突出部３ｂを備えることによって、ブロック部材３を基板２へ配置する場合にユーザーは突出部３ｂをもって作業が行えると共に、ブロック部材３を密集する場所に配置する場合には隣接するブロック部材３の突出部３ｂにユーザーの指が干渉することなく配置できるので、配置作業をスムースに行うことができる。
【００３７】
台部３ａの４つの側壁部には、台部３ａの底面に対して垂直となる方向と略平行に凹状の溝３ｃが延設されて複数形成されており、この溝３ｃは、台部３ａの上面に形成される溝３ｃ１と、台部３ａの側面に形成される溝３ｃ２、台部３ａの底面に形成される溝３ｃ３（ブロック部材３の底面に溝３ｃ１と同形状に形成されている）に亘って形成されている。
【００３８】
台部３ａの溝３ｃには、ブロック部材３に付設される電気的な回路と電気的に導通する導通部材１０，１１が、台部３ａの内側から外側に向かって突設されている。導通部材１０，１１は、一端が溝３ｃ１と接着されると共に他端が溝３ｃ３と接着されており、溝３ｃ１と接着される一端と溝３ｃ３と接着される他端との間は、溝３ｃ２から台部３ａの外側方向に湾曲している。この導通部材１０，１１は弾性力を有しており、ブロック部材３が基板２に装着された場合には、区画部材５によって溝３ｃ２側（側壁側）に押圧されることにより後述する区画部材５の接触部５ｃ１，５ｃ２と電気的に導通する。
【００３９】
導電部材１０は、ブロック部材３に付設される電気的な回路に、正（例えば「５ボルト（以下「Ｖ」と略す）」）又は負（例えば「０Ｖ」（グランド電圧））の電圧を供給するための導電部材であり、一方が「５Ｖ」の電圧が供給される正側導電部材となり、他方が「０Ｖ」の電圧が供給される負側導電部材となる。なお、導電部材１０に供給される電圧は「５Ｖ」と「０Ｖ」としたが、電位差を有し回路を動作可能な電圧であれば特に限定しない。この導電部材１０は、台部３ａの溝３ｃのうち側面の両端に位置する溝３ｃに突設されていると共に４つの側壁にそれぞれ設けられている。よって、ブロック部材３は、区画部材５によって４方向から押圧されるので、安定した状態で確実に基板２に配置できる。
【００４０】
導電部材１１は、ブロック部材３に付設される電気的な回路の入力信号または出力信号を入出力するための導電部材であり、台部３ａの溝３ｃのうち導電部材１０が突設された溝３ｃ以外（７つの溝のうち内側の５つの溝）に突設されている。なお、導電部材１１は、ブロック部材３に付設される電気的な回路の入出信号数に応じて、数や位置が変更されて突設される。
【００４１】
区画部材５は、貫通孔４（図１参照）に貫入されて基板２の裏側（基板２のブロック部材３が配置される配置側の反対側）に突出する貫入部５ａと、区画部材５が基板２に配設された状態で表側（基板２のブロック部材３の配置側）に突出し貫通孔４の長手方向において貫入部５ａより両側に延びた仕切部５ｂとを備えている。仕切部５ｂの矢印Ｘ方向（図１参照）の高さは、台部３ａの高さと略同等に形成されている。
【００４２】
なお、基板２に配設される区画部材５は、全て略同形状に構成されているため、部品を共通化して製作コストを低減することができる。さらに、貫入部５ａと仕切部５ｂとの長手方向の長さの違いにより、区画部材５を基板２へ配設する場合の基板２の垂直方向の位置が定まるので、高さを略一定にすることができる。
【００４３】
区画部材５の表面には、ブロック部材３が基板２に配置された場合に、導電部材１１と接触して電気的に導通する接触部５ｃ１が矢印Ｘ方向と略平行に延設されて複数形成されている。さらに、区画部材５の表面の長手方向両側には、導電部材１０と接触して電気的に導通する接触部５ｃ２が接触部５ｃ１と略平行に形成されている。なお、接触部５ｃ２は、仕切部５ｂの略上端から貫入部５ａの略下端まで延びて形成されている。
【００４４】
区画部材５の両側面に対応して形成された接触部５ｃ１，５ｃ２の電気的な導通は、両側面の対応する接触部５ｃ１，５ｃ２を含んで区画部材５を貫通するホール５ｄの内壁に付着する導電性を有するメッキによって行われる。これは、所謂スルーホール技術によって行われている。
【００４５】
よって、ブロック部材３が基板２に配置され、区画部材５が２つのブロック部材３の間に介在した状態となると、導電部材１１が区画部材５の接触部５ｃ１と接触して押圧されることにより対応する導電部材１１が互いに導通する。同様に、導電部材１０は、区画部材５の接触部５ｃ２と接触して押圧されることにより対応する導電部材１０が互いに導通する。
【００４６】
次に、図３を参照して、電気的な動作を行う回路の一例について説明する。図３は、電子装置１において構成される電気回路の一例を示した図である。なお、ブロック部材３内に記載される記号および線は、付設される回路を模式的に表した記号である。また、ブロック部材３に付設される回路は、各種の回路素子を集めて基板に集積し各種の機能を持たせたＩＣチップ（集積回路）であるため、電圧供給が必要となる場合もあるがその電圧への接続線は省略してある。
【００４７】
ブロック部材３には、各種の電気的な回路が付設されており、本第１実施例では、スイッチ回路２０，２１、プルアップ回路２２，２３、ゲート回路２４，２５，２６、７セグメント表示回路２７が、ブロック部材３の筐体内部に設けられている。
【００４８】
スイッチ回路２０，２１は、回路のオン／オフを切り替えるためのものであり、２つの接点を機械的に開いたり（開放）閉じたり（短絡）するものである。スイッチ回路２０は、ブロック部材３の表面に４つのスイッチ２０ａ，２０ｂ，２０ｃ，２０ｄが露出して配設されており、そのスイッチ２０ａ〜２０ｄの一端側は、グランド電圧（「０Ｖ」）に共通に接続され、スイッチ２０ａ〜２０ｄの他端は、それぞれ独立してプルアップ回路２２側に配線されている。同様に、スイッチ回路２１は、ブロック部材３の表面に４つのスイッチ２１ａ，２１ｂ，２１ｃ，２１ｄが配設され、一端がグランド電圧に共通に接続されると共に他端がそれぞれ独立してプルアップ回路２３側に配線されている。
【００４９】
プルアップ回路２２，２３は、スイッチ２０ａ〜２０ｄ，２１ａ〜２１ｄが開放された状態のときに、電位を固定するためのものである。これは、一般的な入出力回路が、電位が「ＨＩＧＨレベル（以下「Ｈレベル」と略す）」の場合では殆ど電流が流れないため回路が動作状態とならず、電位が「ＬＯＷレベル（以下「Ｌレベル」と略す）」の場合に外部に電流が流れ回路が動作状態となるためであり、スイッチ２０ａ〜２０ｄ，２１ａ〜２１ｄが開放されたときに、動作状態となることを防止するために「Ｈレベル」を維持する必要がある。そのため、スイッチ２０ａ〜２０ｄ，２１ａ〜２１ｄと繋がる各配線ラインに抵抗器２２ａ〜２２ｄ，２３ａ〜２３ｄを接続し、その抵抗器２２ａ〜２２ｂ，２３ａ〜２３ｄの他端は正の電圧（「５Ｖ」）に接続することで、電位を「Ｈレベル」に安定に保っている。スイッチ２０ａ〜２０ｄ，２１ａ〜２１ｄの内いずれかのスイッチが短絡状態となると、その短絡したラインはグランド電圧側に電流が流れ「Ｌレベル」となる。
【００５０】
ゲート回路２４は、２つのＮＡＮＤ回路２４ａ，２４ｂを備えている。ＮＡＮＤ回路２４ａ，２４ｂは、２つの入力が「Ｈレベル」となった場合に、「Ｌレベル」の出力をするものであり、その他の入力の組合せは全て「Ｈレベル」を出力する。よって、ＮＡＮＤ回路２４ａは、スイッチ２０ａ，２０ｂが開放された場合のみゲート回路２６側に「Ｌレベル」を出力し、ＮＡＮＤ回路２４ｂは、スイッチ２０ｃ，２０ｄが開放された場合のみゲート回路２６側に「Ｌレベル」を出力する。
【００５１】
ゲート回路２５は、２つのＮＯＲ回路２５ａ，２５ｂを備えている。ＮＯＲ回路２５ａ，２５ｂは、２つの入力が「Ｌレベル」となった場合に、「Ｈレベル」を出力するものであり、その他の入力の組合せは全て「Ｌレベル」を出力する。よって、ＮＯＲ回路２５ａは、スイッチ２１ａ，２１ｂが短絡した場合のみゲート回路２６側に「Ｈレベル」を出力し、ＮＯＲ回路２５ｂは、スイッチ２１ｃ，２１ｄが短絡した場合のみゲート回路２６側に「Ｈレベル」を出力する。
【００５２】
ゲート回路２６は、ＮＯＴ回路２６ａ，２６ｂ，２６ｃ，２６ｄを備えている。ＮＯＴ回路２６ａ〜２６ｄは、入力側のレベルと出力側のレベルとを反転するものであり、ＮＯＴ回路２６ａの入力側はＮＡＮＤ回路２４ａと接続され、同様に、ＮＯＴ回路２６ｂの入力側はＮＡＮＤ回路２４ｂ、ＮＯＴ回路２６ｃの入力側はＮＯＲ回路２５ａ、ＮＯＴ回路２６ｄの入力側はＮＯＲ回路２５ｂと接続されて、出力側は７セグメント表示回路２７に接続されている。
【００５３】
７セグメント表示回路２７は、４つの入力を７セグメント表示パターンに変換して表示するものであり、表示パターンの表示を行う表示部２７ａと変換の制御を行う制御部２７ｂとを備えている。なお、上述したように、ブロック部材３の筐体は透明又は半透明に形成されているので、表示部２７ａはブロック部材３内部に付設されていても確認することができる。
【００５４】
本第１実施例では、７セグメント表示回路２７は、「４ビット」の入力に基づいて制御部２７ｂが数字表示パターンに変換を行い、表示部２７ａで「０〜Ｆ」の表示を行うものである。例えば、全てのスイッチ２０ａ〜２０ｄ，２１ａ〜２１ｄが開放された状態では、７セグメント表示回路２７への入力が「Ｈレベル」（「１，１，１，１」）となるので７セグメント表示回路２７の表示は「Ｆ」となる。また、スイッチ２０ａ，２０ｃを短絡状態とすると、７セグメント表示回路２７の入力は「０，０，１，１」となり表示部に「３」が表示される。
【００５５】
なお、上述した回路のブロック部材３の間の電気的な導通は、ブロック部材３に突設された対応する導電部材１１が区画部材５の接触部５ｃ１を介して互いに接続されて行われる。導電部材１１は、ブロック部材３に複数突設されているが、区画部材５の接触部５ｃ１も略平行に複数形成されているため、ＩＣチップが付設されたブロック部材３にも容易に対応することができる。
【００５６】
よって、本第１実施例で構成した回路をユーザーが操作することによって、ユーザーは論理回路の動作や７セグメント表示回路２７の動作などを確認することができる。なお、この回路は一例であり、各種のブロック部材３を組み合わせることによって、各種の回路を構成することができる。
【００５７】
次に、図４を参照して、基板２の裏側（基板２の反対側）に形成される共通配線パターン３０，３１について説明する。図４は、基板２の下面図である。なお、図４は、区画部材５が基板２に配設されていない状態を示している。
【００５８】
基板２の裏側（基板２の反対側）には、「５Ｖ」の電圧が接続される正側共通配線パターン３０と、「０Ｖ」の電圧が接続される負側共通配線パターン３１とが、それぞれの貫通孔４の外縁まで延びて形成されている。なお、図示しないが、基板２の裏側には、共通配線パターン３０，３１が外部に露出しないように、絶縁材料で構成されたシート部材が貼着されている。また、本第１実施例では、共通配線パターン３０，３１を基板２の裏側に形成するものとしたが、基板２の表側（基板２の配置側）に形成するものとしても良い。かかる場合、絶縁材料で構成されたシート部材は表側に貼着されるものとする。
【００５９】
正側共通配線パターン３０は、区画部材５が基板２に配設された場合に、接触部５ｃ２の一方と電気的に接続されるものである。よって、正側共通配線パターン３０は、格子状に形成された貫通孔４の内、紙面左右方向（図１における矢印Ｙ方向）と平行に形成された貫通孔４の左側の接触部５ｃ２に対応する位置（第１所定位置）に延びて形成されている。さらに、紙面上下方向（図１における矢印Ｚ方向）と平行に形成された貫通孔４の上側の接触部５ｃ２と対応する位置（第２所定位置）に延びて形成されている。
【００６０】
負側共通配線パターン３１は、区画部材５が基板２に配設された場合に、正側共通配線パターン３０と接続される一方の接触部５ｃ２に対して他方となる接触部５ｃ２と電気的に接続されるものである。よって、負側共通配線パターン３１は、紙面左右方向（図１における矢印Ｙ方向）と平行に形成された貫通孔４の右側（第１所定位置）に延びて形成されると共に、紙面上下方向（図１における矢印Ｚ方向）と平行に形成された貫通孔４の下側（第２所定位置）に延びて形成されている。
【００６１】
よって、ブロック部材３に付設される回路には、正側共通配線パターン３０及び負側共通配線パターン３１と、接触部５ｃ２、導電部材１０とを介して電圧が供給されるので、基板２の任意の位置にブロック部材３を配置するだけで電圧を供給することができる。従って、ブロック部材３に共通に電圧を供給するための配線用の部材を必要としないので、電気的な動作を行う回路の構成を簡略化することができる。
【００６２】
図示したように、正側共通配線パターン３０と負側共通配線パターン３１とは、上下方向に交互に接続されると共に左右方向に交互に接続され、規則性を持っている。なお、図４は、基板２を裏側（基板２の反対側）から示した図であるため、基板２の表側（基板２の配置側）から見た場合は「５Ｖ」又は「０V」の電圧が接続される位置が反対となり、図１においては、上下方向の区画部材５は下側に「０Ｖ」が接続され上側に「５Ｖ」が接続されると共に、左右方向の区画部材５は左側に「０Ｖ」が接続され右側に「５Ｖ」が接続される。
【００６３】
図５は、図４の破線Ａ部分を拡大した図であり、基板２に区画部材５が配設された状態を示している。
【００６４】
図示するように、区画部材５の貫入部５ａに形成された接触部５ｃ２には、熱を加えることにより溶融して両者を接続可能なハンダバンプ３５（溶融材）が形成されている。正側共通配線パターン３０及び負側共通配線パターン３１に対応する接触部５ｃ２とその各共通配線パターン３０，３１とは、それぞれハンダバンプ３５が熱溶融して接着されている。なお、正側共通配線パターン３０及び負側共通配線パターン３１と接触部５ｃ２との接続は、ハンダバンプ３５によるものだけに限らず導電性を有する接着剤（溶融材）などを用いるものとしても良い。
【００６５】
本第１実施例では、ハンダバンプ３５によって、正側共通配線パターン３０および負側共通配線パターン３１と接触部５ｃ２とを接続しているため、ブロック部材３に電圧を確実に供給することができる。また、区画部材５が基板２に強固に固着されるため、基板２を持ち運んだり落として衝撃を与えた場合にも区画部材５が外れたりすることを防止できる。
【００６６】
ここで、図６を参照して、ブロック部材３の内部配線について説明する。図６は、ブロック部材３の内部配線を模式的に示した図であり、図６（ａ）は、ブロック部材３が基板２に正常に配置された状態を示しており、図６（ｂ）は、ブロック部材３が基板２に間違って配置された状態を示している。なお、図中の「＋」の表示は「５Ｖ」の電圧が供給されていることを示し、「−」の表示は「０Ｖ」の電圧が供給されていることを示している。また、ブロック部材３に付設されるＩＣチップ４０（集積回路）は、各種の汎用されているＩＣチップであり、そのＩＣチップの各端子の配列及び数はＩＣチップ毎に異なるので、付設されるＩＣチップに応じて対応する導電部材１０，１１へ内部配線が行われるものとする。
【００６７】
図６（ａ）に示すように、ＩＣチップ４０には、５つの入力端子４０ａと５つの出力端子４０ｂと、「５Ｖ」の電圧が供給される正側電源端子４０ｃと、「０Ｖ」の電圧が供給される負側電源端子４０ｄとが備えられている。入力端子４０ａ及び出力端子４０ｂは、それぞれ対応する導電部材１１と配線されており、区画部材５の接触部５ｃ１を介して信号のやりとりが可能に構成されている。
【００６８】
正側電源供給端子４０ｃと導電部材１０との間には、電流を一方向にのみ流すことができる半導体素子で構成されたダイオード４１（制限部材）が、「５Ｖ」の電圧が接続された場合に電流が流れる向きに嵌装されている。そのため、図６（ａ）に示すように、ブロック部材３が基板２に正常に配置された場合には、電流が矢印Ｂ方向に流れＩＣチップ４０に電源が供給される。
【００６９】
図６（ｂ）は、基板２に間違ってブロック部材３が配置された場合を示しており、かかる場合には、正側電源端子４０ｃ及び負側電源端子４０ｄに反対の電圧が接続されるため、ダイオード４１によりＩＣチップ４０への電圧供給が制限される。よって、ＩＣチップ４０に逆電流が流れないので、破損を防止できると共に誤動作などの発生を防止することができる。
【００７０】
以上、説明したように、本発明の電子装置１によれば、板状の区画部材５が基板２に略正方形の格子状に配設されており、ブロック部材３は格子状に配設された区画部材５の間に配置される。ブロック部材３が基板２に配置された状態では、ブロック部材３の導電部材１０，１１が区画部材５の接触部５ｃ１，５ｃ２と接触して電気的に導通すると共に、導電部材１０，１１が区画部材５によってその導電部材１０，１１が突設された側壁側に押圧される。よって、ブロック部材３の導電部材１０，１１と区画部材５の接触部５ｃ１，５ｃ２との接触面が安定して接触するので、接触面にズレが生じたり傾きが発生することを防止でき、隣り合うブロック部材３の対応する導電部材１０，１１の間を確実に導通させることができる。
【００７１】
また、ブロック部材３は区画部材５によって４方向から押圧され、且つブロック部材３の導電部材１０，１１と区画部材５の接触部５ｃ１，５ｃ２とが安定して接触しているので、ブロック部材３が傾いて浮き上がることを防止でき、ブロック部材３を確実に配置し基板２から簡単に脱離することを防止できる。
【００７２】
次に、図７を参照して、第２実施例の基板１０２及び区画部材１０５について説明する。図７は、第２実施例の電子装置１の基板１０２及び区画部材１０５の一部分を拡大して示した斜視図である。
【００７３】
第２実施例の電子装置１は、基板１０２と略正方形の格子状に配設される区画部材１０５とが一体に形成されている。区画部材１０５は、ブロック部材３が基板１０２に配置された場合に導電部材１０，１１に対応する位置で、且つ基板１０２に対して垂直となる方向と略平行に複数の溝１０６が形成されている。この溝１０６は、区画部材１０５の上端面に形成される凹状の溝１０６ａと、区画部材１０５の両側面に形成される凹状の溝１０６ｂと、区画部材１０５の両側面の基板１０２との接合部より区画部材１０５の内側に凹状に形成される溝１０６ｃとに亘って形成されている。
【００７４】
溝１０６には、導電性材料で構成された側面視略コの字状の接触部１０７が、基板２の上方より図中矢印Ｗ方向に押し込まれて装着される。接触部１０７は、溝１０６の形状と略同形状に形成されており、天井部となる天部１０７ａと、その天部１０７ａの両端より下方に延びる一対の側部１０７ｂと、その一対の側部１０７ｂの下端から内側に向かって天部１０７ａと略平行に延びる一対の底部１０７ｃとで構成されている。
【００７５】
接触部１０７が区画部材１０５に装着される場合には、接触部１０７の底部１０７ｃ間の空間が、溝１０６ｂ間となる区画部材１０５の厚みより狭くなるため、側部１０７ｂ及び底部１０７ｃは外方に押し広げられながら装着が行われる。接触部１０７が装着位置まで達すると、底部１０７ｃが凹状の溝１０６ｃに入り込み装着が完了する。よって、接触部１０７は、ブロック部材３の抜き差しが行われても、底部１０７ｃが溝１０６ｃ内に入り込んで固着されているので、接触部１０７が簡単に抜けてしまうことを防止できる。
【００７６】
以上、説明したように、第２実施例の電子装置１は、基板１０２と区画部材１０５とが一体に形成され、且つ接触部１０７を溝１０６に装着することで区画部材１０５を製作できるので、区画部材１０５が配設された基板２を簡単な作業で製作でき、作業効率を向上することができる。
【００７７】
また、基板１０２と区画部材１０５とを金型成型で製作した場合には、区画部材１０５の配設位置の誤差を少なくすることができるので、ブロック部材３を基板２に配置した場合に、ブロック部材３の種類や配置場所によって接触不良が発生することを防止できる。
【００７８】
さらに、格子状に配設された区画部材１０５と第１実施例と同形状のブロック部材３を備えるので、第１実施例と同様に、ブロック部材３を基板２に確実に配置し簡単に脱離することを防止できる効果、及びブロック部材３の対応する導電部材１０，１１の間を確実に導通させることができる効果を奏する。
【００７９】
なお、第２実施例の電子装置１は、第１実施例同様に、共通配線パターンを形成するものとしても良い。この場合、基板１０２の表側（基板１０２の配置側）に共通配線パターンを形成しても良いし、上述したスルーホール技術により表側と裏側（基板１０２の反対側）とを結ぶ配線パターンを形成し裏側に共通配線パターンを形成するものとしても良い。
【００８０】
次に、図８を参照して、第３実施例の基板２及び連結区画部材２１０，２２０について説明する。図８は、第３実施例の電子装置１の基板２及び連結区画部材２１０，２２０の一部分を拡大して示した斜視図である。なお、第１実施例と同一の部分には同一の符号を付して、その説明は省略する。
【００８１】
第３実施例の基板２に配設される区画部材は、図中矢印Ｙ方向に複数連結された連結区画部材２１０と、図中矢印Ｚ方向に複数連結された連結区画部材２２０とで構成されている。なお、図中奥側の３つの連結区画部材２１０は基板２に配設された状態を示しており、図中手前側の連結区画部材２１０と連結区画部材２２０は基板２に配設される前の状態を示している。
【００８２】
連結区画部材２１０は、第１実施例と略同形状に構成された区画部２１０ａが連結部２１０ｂによって複数連結されており、その連結部２１０ｂには基板２の略垂直方向（図中矢印Ｘ方向）において上端が開放された側面視凹状の第１嵌装溝２１０ｃが形成されている。第１嵌装溝２１０ｃは、連結部２１０ｂの矢印Ｘ方向の高さの略半分となる高さに形成されると共に矢印Ｙ方向の幅が連結区画部材２２０の板厚と略同等に形成されている。
【００８３】
連結区画部材２２０は、第１実施例と略同形状に構成された区画部２２０ａが連結部２２０ｂによって複数連結されており、その連結部２２０ｂには基板２の略垂直方向において下端が開放された側面視凹状の第２嵌装溝２２０ｃが形成されている。第２嵌装溝２２０ｃは、連結部２２０ｂの矢印Ｘ方向の高さの略半分となる高さに形成されると共に矢印Ｚ方向の幅が連結区画部材２１０の板厚と略同等に形成されている。
【００８４】
基板２に連結区画部材２１０，２２０を配設する場合には、先ず、基板２の矢印Ｙ，Ｚ方向の大きさに応じて連結区画部材２１０，２２０の長さを決定し、その長さに応じて連結区画部材２１０，２２０を形成する。連結区画部材２１０，２２０は、各種の基板２に対応させるために任意の長さに形成されており、配設する基板２に応じて連結部２１０ｂ，２２０ｂを切断して用いられる。
【００８５】
その後、連結区画部材２１０を反矢印Ｘ方向から矢印Ｘ方向に向かって基板２の貫通孔４に貫入する。先に連結区画部材２１０を配設するのは、第１嵌装溝２１０ｃが上端が開放されているためのである。全ての連結区画部材２１０の配設が終了したら、連結区画部材２２０を貫通孔孔４に貫入して配設する。この際、連結区画部材２１０の第１嵌装溝２１０ｃと連結区画部材２２０の第２嵌装溝２２０ｃとが互いに嵌装する状態となって配設される。
【００８６】
よって、第３実施例の電子装置１によれば、連結区画部材２１０，２２０は連結部２１０ｂ，２２０ｂによって複数の区画部２１０ａ，２２０ａを連結しているので、一度に多くの区画部材を配設でき、区画部材の基板２への配設の作業効率を向上することができる。また、連結区画部材２１０，２２０を基板２に配設した状態では、第１嵌装溝２１０ｃと第２嵌装溝２２０ｃとが互いに嵌装した状態となるので、区画部材は互いに強固に連接される。よって、区画部材の剛性が高くなりブロック部材３をより確実に固定することができる。
【００８７】
さらに、連結区画部材２１０，２２０は基板２に格子状に配設され、第１実施例と同形状のブロック部材３を備えるので、第１実施例と同様に、ブロック部材３を基板２に確実に配置し簡単に脱離することを防止できる効果、及びブロック部材３の対応する導電部材１０，１１の間を確実に導通させることができる効果を奏する。
【００８８】
以上、実施例に基づいて本発明を説明したが、本発明は、上記実施例に何ら限定されるものではなく、本発明の趣旨を逸脱しない範囲内で種々の改良変形が可能であることは容易に推察できるものである。
【００８９】
例えば、上記第１実施例では、正側共通配線パターン３０および負側共通配線パターン３１は、上下方向および左右方向に交互に接続されるよう規則性を持って形成されるものとしたが、規則性を持って形成するものであれば、どのような配線パターンとするものとしても良い。かかる場合には、共通配線パターン３０，３１と接続される接触部５ｃ２の区画部材５における形成位置および接触部５ｃ２と接触する導電部材１０のブロック部材３における突設位置は、共通配線パターン３０，３１に対応するものとする。
【００９０】
また、上記第１実施例では、正側共通配線パターン３０および負側共通配線パターン３１と接触部５ｃ２とを互いにハンダバンプ３５によって接着するものとしたが、２つの共通配線パターン３０，３１は、貫通孔４の外縁まで延びて形成されているため、区画部材５の外形を貫入孔４の内形より若干大きく形成し貫入することにより、接触部５ｃ２と各共通配線パターン３０，３１とが電気的に導通するものであれば、ハンダによる接着を行わないものとしても良い。また、各共通配線パターン３０，３１を貫通孔４の内壁面まで延びて形成し確実に電気的な導通を行うものとしても良い。
【００９１】
また、上記各実施例では、制限部材としてダイオード４１を用いるものとしたが、逆接続された場合に、導電部材１０と回路との間の電気的な導通を制限するものであれば、例えば、正常に接続された場合にのみ配線を短絡するスイッチ回路を設けたり、逆接続された場合に接続を遮断する遮断回路を設けるものとしても良い。
【００９２】
さらに、基板に突起部を設けると共にその突起部と嵌合する嵌合部をブロック部材３に形成し、ブロック部材３の装着に方向性をもたせて、ダイオード（制限部材）４１を備えないものとしても良い。
【００９３】
また、上記各実施例では、ブロック部材３の筐体を透明又は半透明の樹脂材料で形成するものとしたが、不透明な筐体で形成するものとして良い。かかる場合、付設される電気的な回路に対応する模式図を表面に表示したり、付設される電気的な回路が表示回路であれば表示部を筐体外部に配設するものとしても良い。
【００９４】
また、上記各実施例では、基板の矢印Ｙ方向（図１参照）に５つのブロック部材３、基板の矢印Ｚ方向（図１参照）に４つのブロック部材３が配置可能となる大きさに基板を構成するものとしたが、基板の矢印Ｙ，Ｚ方向の大きさは基板に構成される電気的な動作を行う回路に応じて大きさを変更して製作するものとしても良い。
【００９５】
さらに、基板を互いに連結可能な連結部材を設け基板同士を連結して拡張性を持たせるものとしても良い。かかる場合には、基板に形成される共通配線パターン３０，３１は、基板が互いに連結されることに伴い電気的に導通するよう構成するものとしても良い。
【図面の簡単な説明】
【００９６】
【図１】本発明の実施例における電子装置の構成を概略的に示した構成図である。
【図２】ブロック部材と区画部材とを拡大して示した斜視図である。
【図３】電子装置において構成される電気回路の一例を示した図である。
【図４】基板の下面図である。
【図５】図４の破線Ａ部分を拡大した図である。
【図６】ブロック部材の内部配線を模式的に示した図であり、図６（ａ）は、ブロック部材が基板に正常に配置された状態を示した図であり、図６（ｂ）は、ブロック部材が基板に間違って配置された状態を示した図である。
【図７】第２実施例の電子装置の基板及び区画部材の一部分を拡大して示した斜視図である。
【図８】第３実施例の電子装置の基板及び区画部材の一部分を拡大して示した斜視図である。
【符号の説明】
【００９７】
１                          電子装置
２，１０２                  基板
３                          ブロック部材
３ａ                        台部
３ｂ                        突出部
４                          貫通孔
５，１０５                  区画部材
５ａ                        貫入部
５ｂ                        仕切部
５ｃ１，５ｃ２，１０７      接触部
１０，１１                  導電部材
２０，２１                  スイッチ回路（電気的な回路）
２２，２３                  ピックアップ回路（電気的な回路）
２４，２５，２６            ゲート回路（電気的な回路）
２７                        ７セグメント表示回路（電気的な回路）
３０                        正側共通配線パターン（共通配線パターン）
３１                        負側共通配線パターン（共通配線パターン）
３５                        ハンダバンプ（溶融材）
４０                        ＩＣチップ（電気的な回路）
４１                        ダイオード（制限部材）
１０６                      溝
２１０，２２０              連結区画部材
２１０ｂ，２１０ｃ          連結部
２１０ｃ                    第１嵌装溝
２２０ｃ                    第２嵌装溝
【図１】
2005260018.tif 000003
【図２】
2005260018.tif 000004
【図３】
2005260018.tif 000005
【図４】
2005260018.tif 000006
【図５】
2005260018.tif 000007
【図６】
2005260018.tif 000008
【図７】
2005260018.tif 000009
【図８】
2005260018.tif 000010